(57)【要約】【課題】ユニバーサルデザインの観点から電子機器のユーザビリティの向上を図るために、音声ガイダンスをより確実に視覚障害者に伝達し、また音声ガイダンスを通して短時間で電子機器の状態や命令できる内容を視覚障害者が把握できる電子機器を提供すること。【解決手段】電子機器の操作説明を音または音声のうち少なくとも１つで報知する報知手段を電子機器に備える。これにより、視覚障害者であってもどのような操作を行ってよいのか認識することができるので、電子機器を容易に操作することができる。【選択図】  図１
2004252652.tif 000002
【特許請求の範囲】
【請求項１】
ユーザから入力される操作説明要求に基づいて操作案内を提供する電子機器において、
複数の入力形態で上記操作説明要求を受け付け可能なイベント処理手段と、
所定の入力形態で上記操作説明要求を上記イベント処理手段が受け付けた場合、上記操作説明要求の内容に応じて提供する操作案内を決定する制御手段と、
上記制御手段にて設定された操作案内を音または音声のうち少なくとも１つで報知する報知手段とを備えたことを特徴とする電子機器。
【請求項２】
上記制御手段が、上記イベント処理手段が番組再生中に上記操作説明要求を受け付けると、上記操作案内の音量を再生中の番組音声より大きく設定し、
上記報知手段が、上記制御手段にて設定された音量で上記操作案内を報知する請求項１に記載の電子機器。
【請求項３】
上記制御手段が、上記イベント処理手段が番組再生中に上記操作説明要求を受け付けると、上記番組音声の音量を当該操作説明要求を受け付ける前よりも小さく設定し、
上記報知手段が、番組音声を、上記制御手段にて設定された音量で出力する請求項２に記載の電子機器。
【請求項４】
上記報知手段が、上記操作案内にて報知される案内項目を報知するさいに、当該案内項目の属性を報知する請求項１に記載の電子機器。
【請求項５】
上記案内項目の属性を報知することが、同じ属性の案内項目で構成される案内項目群毎に案内項目を報知すると共に、所定の案内項目群を報知してから所定の間隔をおいて他の案内項目群を報知することである請求項４に記載の電子機器。
【請求項６】
上記案内項目の属性を報知することが、前回報知した案内項目と次に報知する案内項目の属性が異なる場合、次に報知する案内項目が前回報知された案内項目の属性と異なることを示す音または音声の少なくとも１つと共に報知することである請求項４に記載の電子機器。
【請求項７】
上記案内項目の属性を報知することが、同じ属性の案内項目で構成される案内項目群毎に報知形態を異にすることである請求項４に記載の電子機器。
【請求項８】
上記イベント処理手段が、上記操作案内にて報知される案内項目のうち所定の案内項目を選択することの指示である選択指示を受信し、
上記制御手段が、上記選択指示を上記イベント処理手段が受信すると、報知中止指令を生成し、
上記報知手段が、上記報知中止指令が生成されると、他の案内項目の報知中であっても当該他の案内項目の報知を中止して、上記選択指示にて示される所定の案内項目を報知する請求項１に記載の電子機器。
【請求項９】
上記報知手段が、上記操作案内にて報知される案内項目の報知時期とユーザの案内項目の選択時期の差に応じた速度で、上記案内項目を報知する請求項１に記載の電子機器。
【請求項１０】
さらに、ユーザからの上記操作案内の報知速度を指定する報知速度指示を受け付ける受付手段を備え、
上記制御手段が、上記案内説明の報知速度を上記報知速度指示にて示される速度に基づいて設定し、
上記報知手段が、上記制御手段にて設定された報知速度で上記案内説明を報知する請求項１に記載の電子機器。
【請求項１１】
さらに、ユーザからの上記操作案内の報知内容を指定する報知内容指示を受け付ける受付手段を備え、
上記制御手段が、上記受付手段が受け付けた上記報知内容指示の基づいて報知される上記操作案内を設定し、
上記報知手段が、上記制御手段にて設定された案内説明を報知する請求項１に記載の電子機器。
【請求項１２】
さらに、ユーザからの上記操作案内の音量指示を受け付ける受付手段を備え、
上記制御手段が、上記音量指示に基づいて、上記操作案内の音量を設定し、
上記報知手段が、上記制御手段にて設定された音量で、上記操作案内を報知する請求項１に記載の電子機器。
【発明の詳細な説明】
【０００１】
【発明の属する技術分野】
本発明は、ＴＶやラジオ、ラジカセ、エアコン、冷蔵庫、ＤＶＤ記録再生装置などの電気製品や携帯電話、ＰＤＡ、パーソナルコンピューター等の情報機器、コピー機、ＦＡＸ等の事務機器等であってスピーカを備えた電子機器に関し、特に操作案内を音声にてガイダンスする電子機器に関する。
【０００２】
【従来の技術】
近年健常者だけでなく身体障害者にも使い勝手のよい電子機器が開発されている。例えば視覚障害者であっても電子機器が操作できるように、電子機器の状態や、電子機器に命令できる内容をモニタに表示するだけでなく、音や音声ガイダンスでユーザに知らせる電子機器がある。音や音声ガイダンスにより、視覚障害者であっても、電子機器が現在どのような状況なのかや、どのような命令を入力できるのかや、自分が何をすればよいか判断することができる。
【０００３】
【特許文献１】
特開平０５−４０５８９号公報
【特許文献２】
特開平０８−１６６８６７号公報
【特許文献３】
特開平０６−２９５２２８号公報
【０００４】
【発明が解決しようとする課題】
しかし、テレビやラジオなど番組音声等の音を出す電子機器においては、当該音で上記音声ガイダンスがかき消されてしまうことがある。また電子機器の状態や、電子機器に命令できる内容をモニタに表示する場合、健常者はモニタを見れば一瞬に電子機器の状態や命令できる内容を把握することができる。しかし音声ガイダンスを通して電子機器の状態や、電子機器に命令できる内容を視覚障害者が知ろうとする場合、音声ガイダンスを最後まで聞かなければならない。そのため、音声ガイダンスを通して電子機器の状態や命令できる内容を把握するには、時間がかかることになる。また、視覚障害者が、一度聞いた音声ガイダンスを忘れてしまうと、再度音声ガイダンスを聞かなければならない。
【０００５】
そこで、本発明はユニバーサルデザインの観点から電子機器のユーザビリティの向上を図るために、音声ガイダンスをより確実に視覚障害者に伝達し、また音声ガイダンスを通して短時間で電子機器の状態や命令できる内容を視覚障害者が把握できる電子機器を提供することを目的とする。
【０００６】
【課題を解決するための手段】
本発明の電子機器は、複数の入力形態でユーザからの当該電子機器についての操作説明要求を受け付けることが可能なイベント処理手段と、所定の入力形態で上記操作説明要求を上記イベント処理手段が受け付けた場合、上記操作説明要求の内容に応じて提供する操作案内を設定する制御手段と、上記制御手段にて設定された操作案内を音または音声のうち少なくとも１つで報知する報知手段とを備える。音や音声で操作案内が報知されることにより、視覚障害者であっても電子機器の操作を把握することができる。
【０００７】
また、音や音声で報知される上記操作案内が確実にユーザに聞き取れるように、上記制御手段が、電子機器が再生する番組音声より上記操作案内の音量を大きく設定する。また、操作案内の音量が大きすぎるとうるさいので、上記制御手段は、番組音声の音量を下げて、操作説明要求の音量を番組音声よりも大きく設定するようにしてもよい。
【０００８】
また、上記制御手段が、操作案内にて報知される案内項目が選択される時期に応じて、案内項目の報知速度を制御するようにしてもよい。例えば上記報知手段が所定の案内項目を報知しているときに、ユーザが他の案内項目を選択したとき、上記制御手段は、他の案内項目の報知を、上記所定の案内項目の報知を開始した時期と、ユーザが他の案内項目を選択した時期の差に応じた速度で行う。したがって、このように制御すればユーザが他の案内項目の選択を所定の案内項目の報知が開始されてから直ぐに行うと、他の案内項目の報知速度は高くなり、案内項目全体の報知時間が短くすることができる。
【０００９】
【発明の実施の形態】
（実施の形態１）
（機器構成の説明）
本発明の電子機器は、デジタルＴＶ、コピー機、ＦＡＸ、エアコン、パソコン、カーナビゲーション等電気製品や携帯電話、ＰＤＡ（Ｐｅｒｓｏｎａｌ  Ｄｉｇｉｔａｌ  Ａｓｓｉｓｔａｎｔｓ）等のモバイル機器等である。以下では、電子機器がデジタルＴＶ１００である場合について説明する。
【００１０】
図１に示す上記デジタルＴＶ１００は、ＥＰＧ（Ｅｌｅｃｔｒｏｎｉｃ  Ｐｒｏｇｒａｍ  Ｇｕｉｄｅ）を用いてユーザに録画予約の機能を提供することが可能である。デジタルＴＶ１００は、放送またはインターネット等にて送信される番組データとＥＰＧをデジタルＴＶ１００に備えられた受信手段１０７にて受信する。当該受信手段１０７は、受信した番組データを制御手段１０５の録画再生手段１５３に、受信したＥＰＧをＥＰＧ記憶手段１０８に転送する。上記録画再生手段１５３は、番組データが転送されると、当該番組データに基づいて画像をモニタ１０３にて再生し、番組データのうち番組音声データを報知手段１０６に出力する。上記報知手段１０６は出力された番組音声をスピーカ１０４で再生する。さらに、上記録画再生手段１５３は、転送された番組データが、録画予約された番組の番組データである場合、当該番組を記録媒体１１０に録画する。
【００１１】
上記ＥＰＧとは、図２に示すように番組の放送チャネル２０１、放送日時２０２、番組名２０３等の番組に関する情報である。
【００１２】
ユーザは、基本的には図３に示すリモコン３００にてデジタルＴＶ１００を操作する。カーソルキー３０１や決定キー３０２等のリモコン３００に設けられたキーが押下されると、押下されたキーの種類が操作説明要求としてデジタルＴＶ１００に備えられたイベント処理手段１０２に送信される。
【００１３】
視覚障害者がリモコン操作を行うためには、リモコン３００の各キーの位置と操作内容の対応関係を記憶する必要があり、リモコン３００でデジタルＴＶ１００を操作することは必ずしも容易でない。そこで、デジタルＴＶ１００は、リモコン３００だけでなく音声によっても操作されるようになっている。
【００１４】
ユーザが発した音声は、デジタルＴＶ１００に備えられた音声変換手段１０１にて受信され、当該音声変換手段１０１にて、音声に対応する電気信号に変換されて操作説明要求として上記イベント処理手段１０２に転送される。
【００１５】
（具体的な操作の説明）
ここでは、テレビ番組が画面に映し出されているときに視覚障害者が、サッカーの試合を録画予約する場合を想定して、以下、詳細に動作を説明する。
【００１６】
視覚障害者が操作要求説明として発した「番組ナビ」は、上記音声変換手段１０１にて電気信号に変換されて上記イベント処理手段１０２に転送される。また「番組ナビ」を発することに代えて視覚障害者が、リモコン３００のメニューキー３０３を押下した場合、当該メニューキー３０３が押下された旨はリモコン３００から上記イベント処理手段１０２に送信される。
【００１７】
上記イベント処理手段１０２は、上記音声変換手段１０１から転送される番組ナビ、またはリモコン３００から送信されるメニューキー３０３が押下された旨を上記操作案内の起動指示として認識する。そして上記イベント処理手段１０２は、上記起動指示と共に、ユーザからの指示を上記音声変換手段１０１を介して受信したのか、リモコン３００から直接受信したかを制御手段１０５の階層移行手段１５１に転送する（図５、Ｓ５３１）。
【００１８】
上記起動指示とユーザからの指示の経路が転送されると、上記階層移行手段１５１は、図４に示す階層構造を有する上記操作案内の最上位階層の番組ナビモードＡを起動させる（図５、Ｓ５０１）。番組ナビモードＡを起動させると、上記階層移行手段１５１は、階層内処理手段１５２に番組ナビモードＡにおける処理を実行させる。
【００１９】
まず、上記階層内処理手段１５２は、番組ナビモードＡが起動すると、モニタ１０３に図６に示す番組ナビ画面を表示する。番組ナビ画面には、図６に示すように番組表項目５０１、裏番組項目５０２、ジャンル検索項目５０３、プログラム予約項目５０４、予約一覧項目５０５、インフォメーション項目５０６と、ポインタ５２１と、カーソルキー等３０１の操作部が表示され、ユーザは次にすべきことを視覚情報のみから得ることができる。
【００２０】
ユーザが健常者である場合、ユーザは番組ナビ画面を見れば、次に操作すべきこととして、ポインタ５２１を所望の項目へカーソルキー３０１を用いて移動させて決定キー３０２を押下して項目を指定することであると判断できる。
【００２１】
しかし、ユーザが視覚障害者である場合、ユーザは番組ナビ画面を見ることができないので、番組ナビが実際に起動しているのかどうかや、次にどんな操作をしてよいのか分からない。
【００２２】
そこでユーザが視覚障害者であるときは、音声でデジタルＴＶ１００を操作する場合が多いことを考慮し、上記階層移行手段１５１は、ユーザからの指示が上記音声変換手段１０１を介して転送された場合、番組ナビモードＡをすると起動と共に、番組ナビモードＡが起動したことを示す報知音に対応するデータを報知手段１０６に出力する（図５、Ｓ５０２→Ｓ５０３）。
【００２３】
上記報知手段１０６は、出力されたデータに基づいて報知音をスピーカ１０４から報知する。この報知音は、例えば「ビーン」等の合成音や、「ピンポン」等のチャイム音等である。操作案内が起動又は終了したときと、メニュー内の階層を移動した場合とで音の種類、例えば周波数、音色、パターン、音量などを変える、メロディ音と報知音の使い分けでもよい。例えば操作案内モードが起動又は終了した場合は「ピーン」という長音、階層内の移動の場合は「ピンポン」、「ポンピン」などである。
【００２４】
階層を深く進むときには高い音程から低い音程に「ピンポン」、反対に浅く進むとき低い音程から高い音程に「ポンピン」と使い分けることで、ユーザに方向性を印象付け、機器の状態を早く理解することに役立つ。ある程度操作に慣れたユーザにとっては、いちいち各階層の音声ガイダンスを聞かなくても、ボタンを押す階数と音により目的の階層に到達することができ操作時間を短縮できる。また音声入力によるショートカット（ショートカットの機能については後述する。）を使った場合でも進んだ階層の数だけ報知音がなり、また方向性を表すパターン音により、機器の実行状況を感覚的につかめることができるのでユーザは安心できる。
【００２５】
機器から出る音声と音についてはユーザは自分の好みや操作の学習度合いにより入切の選択ができるよう、機器には入切の切替機能が搭載されている。
【００２６】
上記報知音を聞くことで、ユーザが視覚障害者であっても、番組ナビモードＡが起動したことを認識でき、かつ自分が意図した通りにデジタルＴＶ１００が作動していることを認識することができる。
【００２７】
上記階層移行手段１５１は、上記報知音に対応するデータを上記報知手段１０６に出力すると、上記階層内処理手段１５２に番組ナビモードＡの音声ガイダンスの報知を指示する。
【００２８】
上記指示があると、上記階層内処理手段１５２は、番組ナビ画面をモニタ１０３に表示すると共に、次に何を行うべきかを視覚障害者に認識してもらうための音声ガイダンスに対応するデータを上記報知手段１０６に出力する。この音声ガイダンスとは、例えば「番組ナビモードが起動しました。項目を指定してください。」から始まり、番組ナビ画面に表示される各項目の名称（番組表、裏番組、ジャンル検索、プログラム予約、予約一覧、インフォメーション）を順に報知するものである。
【００２９】
但し、本実施の形態のように電子機器がデジタルＴＶ１００やラジオ等の番組音声を出力する場合、上記の報知音や音声ガイダンスが番組音声にかき消されてしまうことがある。そこで、上記階層移行手段１５１と上記階層内処理手段１５２は、報知音または音声ガイダンスに対応するデータを上記報知手段１０６に出力する際に、上記録画再生手段１５３に現在再生中の番組音声の音量を問い合わせて、番組音声の再生音量を取得する。上記階層移行手段１５１と上記階層内処理手段１５２は、上記報知音または音声ガイダンスが再生中の番組音声よりも大きい音量で報知されるように上記報知音または音声ガイダンスに対応するデータを変更して、上記報知手段１０６に出力する。これにより上記報知手段１０６は、番組音声よりも大きい音量で報知音と音声ガイダンスを報知するので、報知音や音声ガイダンスが番組音声にかき消される可能性は低くなる。
【００３０】
また、上記報知音や音声ガイダンスの音量があまり大きいとうるさいので、番組ナビモードＡを起動すると、上記階層移行手段１５１は、上記録画再生手段１５３に対して、再生中の番組音声の音量を小さくするように指示する。これにより、上記録画再生手段１５３は、番組音声データの音量を小さくして、上記報知手段１０６に出力する。このように番組音声の音量を小さくすることで、上記報知音や音声ガイダンスの音量を大きくしなくても、報知音や音声ガイダンスが番組音声によってかき消される可能性を低くすることができる。
【００３１】
また、番組音声の音量とは独立して、上記報知音や音声ガイダンスの音量をユーザが設定できるようにしてもよい。例えば、番組がモニタ１０３とスピーカ１０４にて再生されている時、または操作説明が起動している時に、ユーザがリモコン３００の操作案内音量キー３０８を押下すると、上記イベント処理手段１０２が上記階層移行手段１５１に操作案内音量キー３０８が押下された旨を通知する。
【００３２】
操作案内音量キー３０８が押下されると、上記階層移行手段１５１は、「操作案内の音量を指示してください。」という音声ガイダンスに対応するデータを上記報知手段１０６に出力する。上記報知手段１０６は当該音声ガイダンスをスピーカ１０４から報知する。
【００３３】
ユーザは、当該音声ガイダンスを聞くと、例えば「大きくする」、「小さくする等をデジタルＴＶ１００に向かって言う。ユーザが発した音声は、上記音声変換手段１０１にて電気信号に変換されて、上記イベント処理手段１０２を介して、音量指示として上記階層移行手段１５１に受信される。
【００３４】
上記階層移行手段１５１は、例えば「大きくする」という音量指示を受信すると、当該音量指示を上記階層内処理手段１５２に通知する。これにより上記階層移行手段１５１と上記階層内処理手段１５２は、「大きくする」という音量指示があったことを認識できる。上記階層移行手段１５１と上記階層内処理手段１５２は、当該音量指示を受信した後は、通常よりも報知される音量が大きくなるように上記報知音や音声ガイダンスに対応するデータを変更して上記報知手段１０６に出力する。
【００３５】
上記階層内処理手段１５２は、上記のように「番組ナビが起動しました。案内項目を指定してください。」に対応するデータを上記報知手段１０６に出力すると、続いて番組ナビ画面の先頭案内項目の名称である「番組表」に対応するデータを上記報知手段１０６に出力する（図５、Ｓ５０４→Ｓ５０７）。
【００３６】
項目を決定する方法としては、リモコン３００のボタンで入力する方法と音声で入力する方法の両方を備えている。
【００３７】
ある階層内に移動し画面が切り替ったときの機器から出る音声ガイダンスは少なくとも、次の３種類である。何をするための画面なのかを表わすガイダンス、次にその画面でユーザは何をすべきなのか操作を誘導するガイダンス、ユーザが選択できる選択肢を提示するためのガイダンスの３種類である。
【００３８】
例えば番組ナビモードＡに入ったときの音声ガイダンスは、「番組ナビに入りました」「項目を選択してください」、と次に選択肢を提示するためのガイダンスである「番組表」の３種類の音声ガイダンスが出る。このときユーザは、リモコン３００の十字キーを使って画面上の目的の項目にカーソルを合わせて決定キーを押して項目を選ぶことができる。通常の視力を有するユーザであれば、この方法にて項目を決定することができるが、視覚障害者にとっては、この方法は困難な場合がある。その場合には、音声によるガイダンスとリモコンによる項目の決定という方法がとられる。音声によるガイダンスの方法としては、まず始めに画面上の項目を知るために「すべて」などと音声入力することで全項目名を順に機器に読み上げさせるようにし、その後で目的の項目をリモコン３００の決定キー３０２により選択する方法が可能である。また、十字キー３０１を使ってカーソルを画面上の項目間で移動させた場合には、カーソルが位置する項目名が読み上げられるようにすることで、目的の項目が読み上げられた時点でユーザが決定キー３０２を押せば、所定の項目を選択したことになる。全項目を読み上げさせる場合は、機器からは１つの項目が読み上げられてから所定時間（例えば１秒）経過後に次の項目が読み上げられる。そこでユーザは目的の項目が読み上げられている間、もしくは次の項目が読み上げられる前に決定キー３０２を押すことで項目を選択することができる。
【００３９】
また、項目を決定する方法として、音声でガイダンスを行い、音声にて決定など操作を行うことも可能である。
【００４０】
この場合には、まず、操作ガイダンス、選択肢としての選択項目を音声により読み上げ、音声認識により、「決定」、「戻る」などの所定のキーワードが発声されたことが認識された場合には、リモコン３００の操作ボタンを押したのと同様の動作をするようになっている。また目的の項目名を音声入力すれば、その項目が存在する階層であるかどうかに関わらずショートカット機能が働き、途中の階層を飛ばしてその項目を直接選ぶことができる。
【００４１】
なお、音声認識の機能については、デジタルＴＶ１００本体に設けてもよいが、リモコン３００の内部にマイクと音声認識回路を組み込むことにより、ボタン操作を行うと同等の信号を発生するようにしておいてもよい。
【００４２】
ここで、「番組表」が報知されてから、次の項目である「裏番組」が読み上げられる前に、ユーザがデジタルＴＶ１００に向かって「決定」と発声すると、現在報知されている項目である「番組表」が決定される。このように項目の選び方は、項目が提示されたとき（読み上げられたとき）に「決定」と発声することにより行うこともできるが、「決定」と言う代わりに、項目名を発声することで直接選ぶこともできる。項目名を発声するタイミングは、機器側から項目名が提示されてからでなくてもよく、つまり階層のどの段階でも発声してもよい。これにより従来のようにメニュー画面の階層をたどっていかなくても、ダイレクトに項目を選ぶことで、階層途中の操作を飛ばすことができる。
【００４３】
この機能を本明細書では、「ショートカット」と呼ぶ。
【００４４】
また、ユーザが発声することに代えて、リモコン３００の決定キー３０２を押すことによっても決定の操作を行うことができる。
【００４５】
以上のような発声、あるいはリモコンのボタン操作により「決定」の動作を受信すると、上記イベント処理手段１０２は、当該「決定」を上記階層内処理手段１５２に転送する。
【００４６】
しかし本実施の形態においては、ユーザの目的は、録画番組を検索することができるジャンル検索モードＢを起動することであるので、「番組表」がスピーカ１０４から報知されている間や報知されてから所定期間経過するまでは「決定」と言ったり決定キー３０２を押下したりしない。
【００４７】
上記階層内処理手段１５２は、「番組表」に対応するデータを出力し終えてから所定時間経過すると、次に報知する項目があるかどうか判断する（図５、Ｓ５０８）。ここでは、「番組表」の次に報知する項目である「裏番組」があるので、上記階層内処理手段１５２は、「番組表」に対応するデータを出力し終えてから所定時間経過すると、「裏番組」に対応するデータを報知手段１０６に出力する（図５、Ｓ５０４）。そして、上記報知手段１０６は、「裏番組」をスピーカ１０４から報知する。
【００４８】
この時もユーザは、「決定」と言ったり決定キー３０２を押下したりしない。上記階層内処理手段１５２は、「裏番組」に対応するデータを出力し終えてから所定の時間経過すると、次に報知する項目があるかどうか判断する（図５、Ｓ５０５→Ｓ５０８）。ここでは「裏番組」の次に報知する項目である「ジャンル検索」があるので、上記階層内処理手段１５２は、次に「ジャンル検索」に対応するデータを上記報知手段１０６に出力する（図５、Ｓ５０４）。そして、上記報知手段１０６は、「裏番組」をスピーカ１０４から報知する。
【００４９】
ユーザは、例えば「ジャンル検索」が報知されている間に、「決定」とデジタルＴＶ１００に言う。
【００５０】
ユーザが発した「決定」は上記音声変換手段１０１を介して上記イベント処理手段１０２に受信される。そして決定を受信すると、上記イベント処理手段１０２は、当該決定を上記階層内処理手段１５２に転送する（図５、Ｓ５３２）。
【００５１】
「ジャンル検索」に対応するデータを出力している時に「決定」を受信すると、上記階層内処理手段１５２は、ジャンル検索モードＢがユーザにて指定されたと認識する（図５、Ｓ５０５）。上記階層内処理手段１５２は、上記階層移行手段１５１にジャンル検索モードＢが指定されたことを通知する。
【００５２】
上記通知があると、上記階層移行手段１５１は、ジャンル検索モードＢを起動させる（図５、Ｓ５１１→Ｓ５１２）。
【００５３】
なお、上記のように「ジャンル検索」が報知されるまで「番組表」や「裏番組」が報知されるのが煩わしい場合、ユーザは、「番組表」や「裏番組」が報知されている時に、「次」と言ったり、リモコン３００の下方向のカーソルキー３０１を押下する。ユーザが発した「次」や下方向のカーソルキー３０１が押下された旨は、選択指示として上記イベント処理手段１０２に受信される。当該選択指示を受信すると、上記イベント処理手段１０２は、報知中止指示を生成して、当該報知中止指示を上記階層内処理手段１５２に転送する（図５、Ｓ５３３）。
【００５４】
上記報知中止指示を受信すると、上記階層内処理手段１５２は、上記報知手段１０６に現在報知している案内項目の報知を中止させ、次に報知する案内項目が有れば、当該案内項目に対応するデータを上記報知手段１０６に出力して、上記報知手段１０６に次の案内項目を報知させる（図５、Ｓ５０６→Ｓ５０８→Ｓ５０４）。
【００５５】
即ち、「番組表」が報知されているときは、「番組表」の報知が中止されて「裏番組」が報知され、「裏番組」が報知されているときは、「裏番組」の報知が中止されて「ジャンル検索」が報知される。したがって、番組ナビモードＡが起動してから直ぐにユーザが「次」を２回言うことで、番組ナビモードＡが起動してから直ぐに「ジャンル検索」が報知される。
【００５６】
なお、ユーザが番組ナビモードＡを起動させるために「番組ナビ」と言ったときから、スピーカ１０４から「番組表」が報知されるのは少し遅れるが、この間にユーザが「次」と言えば、「番組表」は全く報知されることなく、上記音声ガイダンスにおいて「裏番組」が最初に報知される案内項目となる。もちろん、ユーザが「番組ナビ」と言ってから、「番組表」・「裏番組」共に報知される前にユーザが「次」を２回言えば、「ジャンル検索」が上記音声ガイダンスにおいて最初に報知される案内項目となる。
【００５７】
また仮に、音声ガイダンスで最後に出力される案内項目（インフォメーション）が報知されてから所定時間経過するまでに、ユーザが、「決定」と言ったり決定キー３０２を押下しない場合、上記階層内処理手段１５２は待ち状態となる（図５、Ｓ５０９）。
【００５８】
このように上記階層内処理手段１５２が待ち状態となった状態、即ち音声ガイダンスが最後まで報知された後に案内項目の指定を行う場合、ユーザは指定する案内項目の名称（本実施の形態では「ジャンル検索」）をデジタルＴＶ１００に言う。ここでユーザが発した「ジャンル検索」は、上記音声変換手段１０１にて電気信号に変換され上記イベント処理手段１０２に転送される。
【００５９】
上記イベント処理手段１０２は、上記音声変換手段１０１から「ジャンル検索」を受信すると、上記階層内処理手段１５２に「ジャンル検索」を転送する（図５、Ｓ５３４）。
【００６０】
上記階層内処理手段１５２は、「ジャンル検索」を受信すると上記階層移行手段１５１にジャンル検索モードＢが指定されたことを通知する。
【００６１】
上記のようにジャンル検索モードＢが指定されたことの通知を受信すると、上記階層移行手段１５１は、図４に示すように番組ナビモードＡの下位階層となるジャンル検索モードＢを起動する（図５、Ｓ５１１→Ｓ５１２）。
【００６２】
ジャンル検索モードＢを起動すると、番組ナビモードＡの起動時と同じように、ユーザが視覚障害者である場合を考慮して、上記階層移行手段１５１は、直前に起動していた操作案内より下位階層の操作案内を起動したことを示す報知音に対応するデータを報知手段１０６に出力する（図５、Ｓ５０３）。上記報知手段１０６は当該報知音をスピーカ１０４から報知する。
【００６３】
なお、ジャンル検索モードＢが起動した場合のように所定階層の操作案内の起動中に下位階層の操作案内を起動したことと、番組ナビモードＡが起動した場合のように操作案内が起動していない状態から所定階層の操作案内が起動したことを報知音で区別できるように、これらの報知音の音量、周波数、音色、報知時間、リズム、メロディー音等を異なるようにするのが望ましい。例えば所定階層の操作案内の起動中に下位階層の操作案内を起動したことを示す報知音を「ピンポン」にし、操作案内が起動していない状態から所定階層の操作案内が起動したことを示す報知音を「ビーン」にする。
【００６４】
上記階層移行手段１５１は、上記報知音に対応するデータを出力すると、上記階層内処理手段１５２にジャンル検索モードＢの音声ガイダンスの報知を指示する。音声ガイダンスの報知の指示があると、上記階層内処理手段１５２は、図７に示すジャンル検索画面をモニタ１０３に表示する。
【００６５】
図７に示すようにジャンル検索画面には、９個の案内項目、即ちニュース・報道項目６０１、スポーツ項目６０２、教養・娯楽項目６０３、ドラマ項目６０４、音楽項目６０５、バラエティー項目６０６、映画項目６０７、アニメ・特撮項目６０８、その他項目６０９と、ポインタ６２１と、カーソルキー等３０１の操作部が表示され、ここでもユーザは次にすべきことを視覚情報のみから得ることができる。
【００６６】
さらに上記階層内処理手段１５２は、次に何を行うべきかを視覚障害者に認識してもらうための音声ガイダンスに対応するデータを上記報知手段１０６に出力する（図５、Ｓ５０４）。この音声ガイダンスとは、例えば「ジャンル検索モードＢが起動しました。項目を指定してください。」から始まり、ジャンル検索画面に表示される各項目の名称（ニュース・報道、スポーツ、教養・娯楽、ドラマ、音楽、バラエティー、映画、アニメ・特撮、その他）を順に報知するものである。
【００６７】
上記番組ナビ画面にてジャンル検索項目を指定したことと同様に、ユーザは、サッカーがスポーツに包含されるため、例えば上記音声ガイダンスの「スポーツ」が報知されている間及び報知から所定時間経過するまでに、デジタルＴＶ１００に向かって「決定」と言う。なお、「スポーツ」を指定するにあたって、ユーザは、上述のように音声ガイダンスが最後まで報知されて上記階層内処理手段１５２が待ち状態になってから、「スポーツ」とデジタルＴＶ１００に言ってもよい。またユーザは、上述のように、「次」や下方向のカーソルキー３０１を用いて、ニュース・報道の報知を途中で中止させて、「スポーツ」を早く報知させてもよい。
【００６８】
もちろんジャンル検索モードＢが起動したことを示す報知音や音声ガイダンスを確実にユーザが聞くことができるように、上記階層移行手段１５１と上記階層内処理手段１５２は、上記番組ナビモードＡを起動する時と同様に番組音声よりも報知音と音声ガイダンスの音量が大きくなるように報知音や音声ガイダンスに対応するデータを変更して上記報知手段１０６に出力する。
【００６９】
ユーザが発した「決定」は上記音声変換手段１０１を介して上記イベント処理手段１０２に受信される。上記イベント処理手段１０２は、音声変換手段１０１から決定を受信すると、当該決定を上記階層内処理手段１５２に転送する（図５、Ｓ５３２）。
【００７０】
決定を受信すると、上記階層内処理手段１５２は、スポーツのサブジャンルモードＣがユーザにて指定されたと認識する（図５、Ｓ５０５）。上記階層内処理手段１５２は、スポーツのサブジャンルモードＣが選択されたと認識すると、上記階層移行手段１５１にスポーツのサブジャンルモードＣが指定されたことを通知する。
【００７１】
上記通知があると、上記階層移行手段１５１は、図４に示すジャンル検索モードＢの下位階層となるスポーツのサブジャンルモードＣを起動する（図５、Ｓ５１２→Ｓ５１３）。またユーザが視覚障害者である場合も考慮して、スポーツのサブジャンルモードＣを起動すると、上記階層移行手段１５１は、ジャンル検索モードＢよりも下位階層の操作案内を起動したことを示す報知音「ピンポン」に対応するデータを上記報知手段１０６に出力する（図５、Ｓ５０３）。上記報知手段１０６は、当該データに基づいて報知音をスピーカ１０４から報知する。
【００７２】
上記階層移行手段１５１は、上記報知音に対応するデータを出力すると、上記階層内処理手段１５２にスポーツのサブジャンルモードＣの音声ガイダンスの報知を指示する。
【００７３】
音声ガイダンスの報知の指示があると、上記階層内処理手段１５２は、図８に示すスポーツ画面をモニタ１０３に表示する。
【００７４】
図８に示すようにスポーツ画面には、すべて項目７０１、野球項目７０２、サッカー項目７０３、ゴルフ項目７０４、公営競技項目７０５と、その他項目７０６、ポインタ７２１と、カーソルキー等３０１の操作部が表示され、ここでもユーザは次にすべきことを視覚情報のみから得ることができる。
【００７５】
さらにユーザが視覚障害者である場合も考慮して、上記階層内処理手段１５２は、次に何を行うべきかを視覚障害者に認識してもらうための音声ガイダンスに対応するデータを上記報知手段１０６に出力する（図５、Ｓ５０４）。この音声ガイダンスとは、例えば「スポーツのサブジャンルモードが起動しました。項目を指定してください。」から始まり、スポーツ画面に表示される各項目の名称（すべて、野球、サッカー、ゴルフ、公営競技、その他）を順に報知するものである。
【００７６】
ここでサッカー番組を録画予約するために、例えばユーザは、「サッカー」が報知されている間に、デジタルＴＶ１００に向かって「決定」と言う。「決定」は、上記音声変換手段１０１にて電気信号に変換されて上記イベント処理手段１０２に転送される。
【００７７】
上記イベント処理手段１０２は、音声変換手段１０１から決定を受信すると、当該決定を上記階層内処理手段１５２に転送する（図５、Ｓ５３２）。
【００７８】
上記階層内処理手段１５２は、上記階層移行手段１５１にサッカーモードが指定されたことを通知する。
【００７９】
上記通知があると、上記階層移行手段１５１は、図４に示すスポーツのサブジャンルモードＣの下位階層となるサッカーモードを起動する（図５、Ｓ５１２→Ｓ５１３）。またユーザが視覚障害者である場合も考慮して、サッカーモードを起動すると、上記階層移行手段１５１は、スポーツのサブジャンルモードＣよりも下位階層の操作案内を起動したことを示す報知音「ピンポン」に対応するデータを上記報知手段１０６に出力する（図５、Ｓ５０３）。上記報知手段１０６は、当該データに基づいて報知音をスピーカ１０４から報知する。
【００８０】
上記階層移行手段１５１は、上記報知音に対応するデータを出力すると、上記階層内処理手段１５２にサッカーモードの音声ガイダンスの報知を指示する。
【００８１】
音声ガイダンスの報知の指示があると、上記階層内処理手段１５２は、「サッカーモードが起動しました。サッカー番組検索中です。」という音声ガイダンスに対応するデータを上記報知手段１０６に出力する。
【００８２】
そして、上記階層内処理手段１５２は、サッカーモードの音声ガイダンスの報知の指示をサッカー番組の検索命令として認識し、上記ＥＰＧ記憶手段１０８に記憶されたＥＰＧの中から、番組名２０３にサッカーが含まれる番組を検索する。そして図９に示すように番組名２０３にサッカーが含まれる番組を抽出して、抽出された各番組の放送日時２０２、番組名２０３、放送チャネル２０１の３つの項目を案内項目２１１としてモニタ１０３に表示する。
【００８３】
ここでもユーザが視覚障害者である場合も考慮して、上記階層内処理手段１５２は、検索が終了したことを示す報知音に対応するデータを上記報知手段１０６に出力し、上記報知手段１０６は当該報知音をスピーカ１０４から報知する。さらに、上記階層内処理手段１５２は、例えば放送日時２０２が早い番組から順に番組の案内項目２１１に対応するデータを上記報知手段１０６に出力し、上記報知手段１０６が当該案内項目２１１をスピーカ１０４から報知する。
【００８４】
視覚障害者は、所望のサッカー番組の案内項目２１１が報知されると、その時に「決定」とデジタルＴＶ１００に言う。「決定」は上記音声変換手段１０１にて電気信号に変換されて上記イベント処理手段１０２に転送される。
【００８５】
決定を受信すると、上記イベント処理手段１０２は、当該決定を上記階層内処理手段１５２に転送する（図５、Ｓ５３２）。上記階層内処理手段１５２は、決定が転送されると、上記報知手段１０６へ現在出力している案内項目２１１を取得する。そして上記階層内処理手段１５２は、取得した案内項目２１１と対応する番組を予約対象の番組として認識する。
【００８６】
本実施の形態においては、サッカーモードにおいて指定できる予約の対象番組は１つであるので、上記階層内処理手段１５２は、上記階層移行手段１５１に指定された録画の対象番組を通知する。
【００８７】
上記階層内処理手段１５２は、当該番組の録画予約の詳細を設定する予約モードを起動する。
【００８８】
上記通知を予約モードの起動指示として受信すると、上記階層移行手段１５１は、番組の録画予約の詳細を設定する予約モードを起動する（図５、Ｓ５１１→Ｓ５１２）。
【００８９】
しかしながら、サッカー番組が多数ある場合、ユーザは録画予約したい番組の案内項目２１１が報知されるまで、他の多数の番組の案内項目２１１を聞かなければならない。多数の番組の上記案内項目２１１を聞きつづけるのは非常に疲れる。
【００９０】
そこで、上記階層内処理手段１５２は、サッカー番組のうち、属性が同じ番組の案内項目２１１から案内項目群２１２を構成する。属性とは例えば番組の放送日であり、属性を番組の放送日とすると、案内項目群２１２は、同じ放送日の番組の案内項目２１１から構成される。
【００９１】
案内項目群２１２を構成すると、上記階層内処理手段１５２は、放送日の早い番組が属する案内項目群２１２に対応するデータから順に上記報知手段１０６に出力する。上記報知手段１０６は、放送日の早い案内項目群２１２から当該案内項目群２１２に属する案内項目２１１をスピーカ１０４から報知し、当該案内項目群２１２を報知し終えると所定の間隔をおいてから放送日が次の日の案内項目群２１２を報知する。
【００９２】
したがって、上記報知手段１０６は、まず今日放送される番組の案内項目２１１を報知する。今日放送される番組の案内項目２１１を報知し終えると、上記報知手段１０６は、所定の間隔をおいてから明日放送される番組の案内項目２１１を報知する。このように所定の間隔をおくことで、ユーザは間隔があると、これから案内項目２１１が報知される番組の放送日が、今まで案内項目２１１が報知された番組の次の日であると認識することができる。したがって、ユーザは、報知の間隔があった後に報知される放送日を聞き、当該放送日が録画予約したい番組の放送日である場合のみ、当該放送日に続いて報知される案内項目２１１を注意深く聞けばよい。このように情報のカテゴリーの区分を聴覚情報で行う場合には時間間隔の他に、「ピ」音など報知音を入れたり、また読み上げの音声の高さを変えるなどしてユーザに変化を気づかせてもよい。
【００９３】
また、サッカー番組が多数あると、ユーザが所望する番組の案内項目２１１が報知されるまで時間がかかることがある。例えば放送日時の早い番組から順に案内項目２１１が報知される場合、５日後に放送されるの番組の案内項目２１１は、今日から４日間に放送される番組の案内項目２１１が報知された後に報知される。
【００９４】
そこでユーザは、報知される案内項目２１１の放送日時２０２を聞き、当該放送日が５日後でない場合、「次」と言ったり、下方向のカーソルキー３０１を押下する。上述のようにユーザが発した「次」や下方向のカーソルキー３０１が押下された旨は、上記イベント処理手段１０２を介して上記階層内処理手段１５２に選択指示として受信される。
【００９５】
上記選択指示を受信すると、上記階層内処理手段１５２は、上記報知手段１０６に現在報知している案内項目２１１の報知を中止させて、次に報知する案内項目があれば、当該案内項目２１１に対応するデータを上記報知手段１０６に出力して、上記報知手段１０６に次の案内項目２１１を報知させる。
【００９６】
したがって、例えば放送日を聞いてから「次」と言うことで、ユーザは、今日から４日間に放送されるサッカー番組の番組名２０３や放送チャネル２０１を聞かずに済むことができる。その分、所望のサッカー番組が報知されるまでの時間が短くなる。
【００９７】
また、上記報知手段１０６の案内項目２１１の報知速度を調整することで、所望のサッカー番組が報知されるまでの時間を短くしてもよい。
【００９８】
例えば、上記報知手段１０６が所定の番組の案内項目２１１を報知している最中に、右方向のカーソルキー３０１をユーザが押下すると、上記イベント処理手段１０２を介して、上記階層内処理手段１５２に右方向のカーソルキー３０１が押下された旨が受信される。
【００９９】
上記階層内処理手段１５２は、右方向のカーソルキー３０１が押下された旨を受信すると、現在報知手段１０６に出力している案内項目２１１を上記報知手段１０６に出力し始めてから何秒経ったのかを計測する。上記階層内処理手段１５２は、時間を計測すると、次以降の案内項目２１１を当該時間内で報知するように上記報知手段１０６に指示する。なおこのような時間を計測するために、上記階層内処理手段１５２は、各案内項目２１１の出力開始時期を記憶しておく。
【０１００】
この場合、ユーザは案内項目２１１が報知されてから右方向のカーソルキー３０１を押下するまでの時間を短くすればするほど、案内項目２１１の報知速度が上がる。したがって所望のサッカー番組が報知されるまでの時間が短くなる。
【０１０１】
また、上記報知手段１０６の通常の報知速度をユーザが決定できるようにしてもよい。例えば番組がモニタ１０３とスピーカ１０４にて再生されている時、または操作説明が起動している時に、ユーザがリモコン３００の報知速度設定キー３０７を押下すると、上記イベント処理手段１０２が受付手段１１１に報知速度設定キー３０７が押下された旨を送信する。上記受付手段１１１は報知速度設定キー３０７が押下された旨が送信されると、上記報知手段１０６に「報知速度を入力してください。」という音声ガイダンスに対応するデータを出力し、上記報知手段１０６は当該音声ガイダンスを報知する。
【０１０２】
ユーザは、当該音声ガイダンスを聞くと、例えば例えば「速く」、「ゆっくり」等の報知速度指示をデジタルＴＶ１００に向かって言う。ユーザが発した音声は、上記音声変換手段１０１にて電気信号に変換されて、上記イベント処理手段１０２を介して、上記受付手段１１１に受信される。
【０１０３】
上記受付手段１１１は、例えば「速く」に対応する信号を受信すると、当該信号を上記報知手段１０６に通知する。上記報知手段１０６は当該通知を受信した後は、「速く」に対応する速度で、報知音や音声ガイダンスの報知を行う。
【０１０４】
なお、報知速度設定キー３０７を押下することに代えて、ユーザが「報知速度設定」と言うと、当該「報知速度設定」が上記音声変換手段１０１で電気信号に変換されて、報知速度設定指示として上記受付手段１１１転送されてもよい。
【０１０５】
さて上記のように起動指示に基づいて予約モードが起動すると、ユーザが視覚障害者である場合も考慮して、上記階層移行手段１５１は、サッカーモードよりも下位階層の操作案内を起動したことを示す報知音「ピンポン」に対応するデータを上記報知手段１０６に出力する（図５、Ｓ５０３）。上記報知手段１０６は、当該データに基づいて報知音をスピーカ１０４から報知する。この報知音により視覚障害者は、「決定」がデジタルＴＶ１００にて受信され、予約モードが起動されたことを認識する。
【０１０６】
上記階層移行手段１５１は、上記報知音を報知すると、上記階層内処理手段１５２に予約モードの音声ガイダンスの報知を指示する。
【０１０７】
音声ガイダンスの報知の指示があると、上記階層内処理手段１５２は、図１０に示す予約画面をモニタ１０３に表示する。この予約画面には、図１０に示すように録画方式を指定する項目９１０、記録媒体１１０を指定する項目９２０、予約するか否かを指定する項目９３０、ポインタ９２１、カーソルキー等３０１の操作部が表示され、予約画面においても、ユーザは次にすべきことを視覚情報のみから得ることができる。
【０１０８】
さらに上記階層内処理手段１５２は、次に何を行うべきかを視覚障害者に認識してもらうために以下の音声ガイダンスに対応するデータを上記報知手段１０６に出力する（図５、Ｓ５０４）。
【０１０９】
まず上記階層内処理手段１５２は、視聴予約を行うか録画予約を行うかをユーザに問い合わせるために「予約方式を選択してください。視聴予約にしますか。録画予約にしますか」という音声ガイダンスを上記報知手段１０６に出力する。視聴予約とは、録画をせずに、指定の時刻になると予約した番組をモニタ１０３とスピーカ１０４にて映し出すことであり、録画予約とは番組を再生せずに録画のみを行うことである。
【０１１０】
上記報知手段１０６は、当該音声ガイダンスをスピーカ１０４から報知する。
【０１１１】
例えばユーザが「録画予約にしますか。」が報知されている間に、デジタルＴＶ１００に向かって「決定」と言うと、「決定」が上記音声変換手段１０１を介して上記イベント処理手段１０２にて受信される。上記イベント処理手段１０２は「決定」を受信すると、決定を上記階層内処理手段１５２に転送する（図５、Ｓ５３２）。
【０１１２】
上記階層内処理手段１５２には、決定を受信すると、録画予約が指定されたことを認識する（図５、Ｓ５０５）。
【０１１３】
そして、上記階層内処理手段１５２は、決定を受信すると、予約モードにおいて、他に指定可能な案内項目があるかどうかを確認する。予約モードにおいては、指定可能な案内項目として、予約方式以外にも、記録媒体１１０の指定や、予約を登録するか否かの指定する案内項目がある。そのため、上記確認後、上記階層内処理手段１５２は、「記録媒体を指定してください。ハードディスク、ＤＶＨＳ、ＤＶＤ」という音声ガイダンスに対応するデータを上記報知手段１０６に出力する（図５、Ｓ５０４）。上記報知手段１０６は、当該音声ガイダンスを報知する。
【０１１４】
例えばユーザが「ＤＶＤ」が報知されている間に、デジタルＴＶ１００に向かって「決定」と言う。すると、「決定」が上記音声変換手段１０１を介して上記イベント処理手段１０２にて受信される。上記イベント処理手段１０２は「決定」を受信すると、決定を上記階層内処理手段１５２に転送する（図５、Ｓ５３２）。
【０１１５】
上記階層内処理手段１５２には、決定を受信すると、ＤＶＤが指定されたことを認識する（図５、Ｓ５０５）。さらに上記階層内処理手段１５２は、「予約を登録するか否かを指定してください。予約しない、予約する」という音声ガイダンスに対応するデータを上記報知手段１０６に出力し、上記報知手段１０６は、当該音声ガイダンスを報知する（図５、Ｓ５０４）。
【０１１６】
例えばユーザが「予約する」が報知されている間に、デジタルＴＶ１００に向かって「決定」と言うと、「決定」が上記音声変換手段１０１を介して上記イベント処理手段１０２にて受信される。上記イベント処理手段１０２は、決定を受信すると、決定を上記階層内処理手段１５２に転送する（図５、Ｓ５３２）。上記階層内処理手段１５２には、決定を受信すると、サッカーモードにおいて指定されたサッカー番組の予約が登録されたことを認識する（図５、Ｓ５０５）。
【０１１７】
上記階層内処理手段１５２は、予約の登録されたことを認識すると、録画再生手段１５３にサッカーモードにおいて選択されたサッカー番組の放送日時、放送チャネル、予約モードにおいて指定された予約方式、記録媒体１１０を登録する。
【０１１８】
この登録に基づいて、上記録画再生手段１５３は、ユーザが指定したサッカー番組を、登録された記録媒体１１０に録画する。
【０１１９】
上記のように「予約する」が報知されている間にユーザが「決定」といった時点で、予約モードにおいて指定可能な項目が全て指定されたことになるので、上記階層内処理手段１５２は、上記録画再生手段１５３にサッカー番組の放送日時等を登録すると共に、スピーカ１０４から録画予約の設定が完了したことを示す報知音や「録画予約の設定が完了しました」等の音声を報知する。そして、上記階層内処理手段１５２は、上記階層移行手段１５１に予約完了の登録があったことの通知を受信すると、サッカー番組一覧画面に戻る。これによりユーザは別番組の予約を行ったり、他のジャンルの番組を探すなどの操作を引き続き行うことができる。
【０１２０】
上記階層移行手段１５１は、予約完了の登録があったことが通知されると、上記操作案内を終了する（図５、Ｓ５１１→Ｓ５１３）。操作案内を終了すると同時に、上記階層移行手段１５１は、操作案内を終了したことを示す報知音に対応するデータを上記報知手段１０６に出力し、上記報知手段１０６は、当該報知音を報知する。上記階層移行手段１５１は、当該報知音に続いて、「操作案内が終了しました。」という音声ガイダンスを上記報知手段１０６に出力してもよい。
【０１２１】
なお、操作案内を終了したことと、番組ナビモードＡが起動した場合のように操作案内が起動していない状態から操作案内が起動したことを報知音で区別できるように、これらの報知音の音量、周波数、音色、報知時間、リズム、メロディー音等を異なるようにするのが望ましい。
【０１２２】
このようにスピーカ１０４から、デジタルＴＶ１００の状態や、次に何をすべきかが報知音や音声ガイダンスで報知されることで、ユーザが視覚障害者であっても、操作に迷うことがなくなる。
【０１２３】
なお、上記においては上記イベント処理手段１０２は、上記音声変換手段１０１から「番組ナビ」、「ジャンル検索」、「スポーツ」、「サッカー」を受信した場合のみ報知音や音声ガイダンスを報知しているが、リモコン３００にて「番組ナビ」、「ジャンル検索」、「スポーツ」、「サッカー」が指定された場合であっても、報知音や音声ガイダンスを報知してよい。
【０１２４】
上記では、各操作案内にて、スピーカ１０４から報知される報知音や音声ガイダンスが報知されるが、報知される内容をユーザが選択できるようにしてもよい。例えば操作説明の所定のモードが起動しているときや、番組がモニタ１０３やスピーカ１０４にて再生されているとき、ユーザがリモコン３００の報知内容設定キー３０４を押下すると、上記イベント処理手段１０２が上記受付手段１１１に報知内容設定キー３０４が押下された旨を転送する。上記受付手段１１１は報知内容設定キー３０４が押下された旨を受信すると、「報知内容を選択してください。」という音声ガイダンスに対応するデータを上記報知手段１０６に出力する。上記報知手段１０６は当該音声ガイダンスをスピーカ１０４から報知する。
【０１２５】
ユーザは、当該音声ガイダンスを聞くと、例えば「報知音のみ」、「音声ガイダンスのみ」、「両方」等の報知内容指示をデジタルＴＶ１００に向かって言う。ユーザが発した音声は、上記音声変換手段１０１にて電気信号に変換されて、上記イベント処理手段１０２を介して、上記受付手段１１１に受信される。
【０１２６】
上記受付手段１１１は、例えば「報知音のみ」に対応する信号を受信すると、当該信号を上記階層内処理手段１５２に通知する。上記階層内処理手段１５２は当該通知を受信した後は、報知音に対応するデータのみを上記報知手段１０６に出力して、音声ガイダンスに対応するデータを上記報知手段１０６に出力しないようにする。
【０１２７】
なお、上記ではユーザは「番組ナビ」と言うことで番組ナビモードＡを起動させた場合について説明したが、ユーザは、リモコン３００のメニューキー３０３を用いて番組ナビモードＡを起動させて、録画予約を行ってもよい。例えばモニタ１０３及びスピーカ１０４にてテレビ番組が再生されているときに、健常者が、サッカー番組の録画予約する場合、メニューキー３０３を押下する。メニューキー３０３が押下された旨は、リモコン３００から上記イベント処理手段１０２に送信される。
【０１２８】
上記イベント処理手段１０２は、メニューキー３０３が押下された旨が送信されると、起動指示と共にユーザからの指示がリモコン３００から直接受信したことを上記階層移行手段１５１に転送する（図５、Ｓ５３１）。
【０１２９】
上記階層移行手段１５１は、起動指示が転送されると、上記番組ナビモードＡを起動させる（図５、Ｓ５０１）。しかし、上記階層移行手段１５１は、メニューキー３０３が押下されたことによって番組ナビモードＡを起動すると、上述のように報知音を報知しない。同様に上記階層内処理手段１５２も音声ガイダンスを報知せずに、ユーザから番組ナビ画面に表示された項目が指定されるのを待つ待ち状態となる（図５、Ｓ５０２→Ｓ５２１）。これはメニューキー３０３を用いて番組ナビモードＡを起動させるのは通常は健常者であり、健常者は、報知音や音声ガイダンスが報知されなくても、画面を見ることで自分が何をすべきかを認識することができるためである。
【０１３０】
番組ナビ画面が表示されると、ユーザは、ポインタ５２１を移動させるために、リモコン３００の所定方向のカーソルキー３０１を押下する。カーソルキー３０１が押下された旨は、リモコン３００から上記イベント処理手段１０２に送信される。上記イベント処理手段１０２は、受信したカーソルキー３０１が押下された旨を上記階層内処理手段１５２に転送する。上記階層内処理手段１５２は、転送されたカーソルキー３０１が押下された旨に基づいて、現在ポインタ５２１が指す位置を把握する。そして階層内処理手段１５２は、把握した位置にポインタ５２１を表示する。
【０１３１】
ユーザは、所望の項目にポインタ５２１が移動すると、決定キー３０２を押下する。決定キー３０２が押下された旨は、リモコン３００から上記イベント処理手段１０２に送信される。リモコン３００から決定キー３０２が押下された旨が送信されると、上記イベント処理手段１０２は、決定キー３０２が押下された旨を上記階層内処理手段１５２に転送する（図５、Ｓ５３４）。
【０１３２】
上記イベント処理手段１０２から決定キー３０２が押下された旨が転送されると、上記階層内処理手段１５２は、上記階層移行手段１５１に、現在ポインタ５２１が指している項目をユーザが指定したことを通知する。上記階層移行手段１５１は、通知された項目に対応する操作案内を起動させる（図５、Ｓ５２２→Ｓ５２３→Ｓ５２４）。なお、予約モードにおいて、決定キー３０２の押下によって「予約する」が指定された場合、上記階層移行手段１５１は、操作案内を終了する（図５、Ｓ５２２→Ｓ５２３→終了）。
【０１３３】
このようにメニューキー３０３で番組ナビモードＡを起動させた場合でも、カーソルキー３０１や決定ボタン３０２に代えて、起動させたい項目をデジタルＴＶ１００に言うことで、上記階層移行手段１５１が、当該項目に対応する操作案内を起動させてもよい。但し音声を用いて所定の操作案内を起動させた場合であっても、メニューキー３０３で番組ナビモードＡを起動させている場合は、上記階層移行手段１５１や上記階層内処理手段１５２は報知音や音声ガイダンスに対応するデータを上記報知手段に報知しない。
【０１３４】
このように視覚障害者がメニューキー３０３を用いて番組ナビモードＡを起動させた場合、視覚障害者はポインタ５２１が指す項目を把握することができない。そこで、上記階層内処理手段１５２は、ポインタ５２１が指している項目が変わると、ポインタ５２１が指す項目を上記報知手段１０６に出力する。上記報知手段１０６は出力された項目を報知する。
【０１３５】
また、カーソルキー３０１に代えて、ユーザの音声でポインタ５２１の移動を行うようにしてもよい。例えば、上記階層内処理手段１５２は、番組ナビ画面起動時は、番組表項目５０１を指す位置にポインタ５２１を表示する。ユーザが「下」と言うと、当該「下」が上記音声変換手段１０１及びイベント処理手段１０２を介して、上記階層内処理手段１５２に受信される。下を受信すると、上記階層内処理手段１５２は、ポインタ５２１を番組表項目５０１の１つ下に表示された裏番組項目５０２に移動させる。
【０１３６】
なお、視覚障害者であってもリモコン操作をする可能性が高いと想定される場合は、メニューキー３０３が押下されたことで番組ナビモードＡが起動した場合であっても、上記階層移行手段１５１や上記階層内処理手段１５２が、上記報知音や音声ガイダンスに対応するデータを上記報知手段１０６に出力してもよい。
【０１３７】
なお、上記リモコン３００に代えて、キーボード、点字キーボード、デジタルＴＶ１００に備えられたキーをカーソルキー３０１や決定キー３０２、メニューキー３０３、報知内容設定キー３０４、報知速度設定キー３０７として用いてもよい。
【０１３８】
【発明の効果】
本発明の電子機器は、番組音声より大きい音量で操作案内を報知するので、操作案内が番組音声等でかき消されることがないために、視覚障害者であっても、確実に操作案内を聴くことができる。したがって、ユニバーサルデザインの観点からもユーザビリティの高い電子機器を提供することができる。
【０１３９】
また、確実に操作案内を聴くことができるので、視覚障害者だけでなく健常者も画面を見なくても容易に電子機器を操作することができる。
【０１４０】
また、操作案内にて報知される案内項目の報知速度をユーザが変えることができるので、報知速度を上げることで案内項目が報知される時間を短くすることができる。
【図面の簡単な説明】
【図１】本発明の電子機器のブロック図
【図２】ＥＰＧの概念図
【図３】リモコンの概略図
【図４】操作説明の概念図
【図５】録画予約の手順を示したフローチャート
【図６】番組ナビ画面の概略図
【図７】ジャンル検索画面の概略図
【図８】スポーツ画面の概念図
【図９】検索された番組の一覧が表示された画面の概略図
【図１０】予約画面の概念図
【符号の説明】
１００    デジタルＴＶ
１０２    イベント処理手段
１５１    制御手段
１０６    報知手段
【図１】
2004252652.tif 000003
【図２】
2004252652.tif 000004
【図３】
2004252652.tif 000005
【図４】
2004252652.tif 000006
【図５】
2004252652.tif 000007
【図６】
2004252652.tif 000008
【図７】
2004252652.tif 000009
【図８】
2004252652.tif 000010
【図９】
2004252652.tif 000011
【図１０】
2004252652.tif 000012